(57)【要約】【課題】  雑音の発生を抑制しつつ、迅速に放送フォーマットを判別して、音声再生を開始する。【解決手段】  放送局の選局指定が行われると、制御ユニット１９０は、アナログ放送を選択して、出力音声のミュート処理を行う。そして、検出部１３１が、ハイブリッド形式の場合のアナログ放送波が配置されている周波数範囲の中間周波信号ＩＦＤの信号レベル値ＳＬＶ及びノイズレベル値ＮＬＶを検出し、制御ユニット１９０が、放送フォーマットを判別する。放送フォーマットがオールデジタル形式のときには、制御ユニット１９０は、デジタル放送音声利用情報を受けるとデジタル放送を選択してミュートを解除する。また、放送フォーマットがアナログ形式又はハイブリッド形式のときには、制御ユニット１９０は、一定時間経過後にミュートを解除し、次いで、デジタル放送音声利用情報を受けた場合に、デジタル放送を選択する。【選択図】  図４
2015186073.tif 000002
【特許請求の範囲】
【請求項１】
選局指令に対応する放送信号を、所定周波数が中心周波数となっている中間周波数帯の信号である中間周波信号に変換するフロントエンド部と；
前記所定周波数を含む所定周波数帯域における前記中間周波信号の信号レベル、及び、前記所定周波数帯域における前記中間周波信号がアナログ放送信号であるとした場合のノイズレベルを検出する検出部と；
前記中間周波信号に対して、アナログ放送用の再生処理を行って、アナログ放送用再生信号を生成するアナログ再生処理部と；
前記中間周波信号に対して、デジタル放送用の再生処理を行って、デジタル放送用再生信号を生成するデジタル再生処理部と；
前記アナログ放送用再生信号及び前記デジタル放送用再生信号に基づいて、再生信号を出力する出力部と；
前記出力部を制御する制御部と；を備え、
前記制御部は、
前記検出部により検出された前記中間周波信号の信号レベル及び前記ノイズレベルに基づいて、受信した放送信号の放送フォーマットを判別する判別処理を行い、
少なくとも前記判別処理が終了するまでの間は、前記出力部に対してミュート処理を行わせる制御を行う、
ことを特徴とする放送受信装置。
【請求項２】
前記所定周波数帯域は、アナログ放送とデジタル放送とが同時に行われるハイブリッド形式である場合のアナログ放送波の周波数帯域である、ことを特徴とする請求項１に記載の放送受信装置。
【請求項３】
前記制御部は、
前記検出部による検出結果における前記信号レベルが第１所定値以上であり、前記ノイズレベルが第２所定値未満である場合には、放送フォーマットが、アナログ放送のみが行われているアナログ形式、又は、アナログ放送とデジタル放送とが同時に行われているハイブリッド形式であるとの判別を行い、
前記判別の後、アナログ放送が再生可能となるまでの所定期間は、引き続き、前記出力部に対してミュート処理を行わせる制御を行い、前記所定期間が経過した後には、直ちに、前記出力部に対してアナログ放送用再生信号を前記再生信号として出力させる制御を行う、
ことを特徴とする請求項２に記載の放送受信装置。
【請求項４】
前記制御部は、
前記アナログ形式、及び、前記ハイブリッド形式のいずれであるかの判別を更に行い、
前記判別の結果がハイブリッド形式である場合には、前記ハイブリッド形式のデジタル放送が再生可能となるまでの期間は、引き続き、前記出力部に対してアナログ放送用再生信号の出力処理を行わせる制御を行い、前記ハイブリッド形式のデジタル放送が再生可能となった後には、直ちに、前記出力部に対してデジタル放送用再生信号が寄与する前記再生信号を出力させる制御を行う、  
ことを特徴とする請求項３に記載の放送受信装置。
【請求項５】
前記制御部は、
前記検出部による検出結果における前記信号レベルが前記第１所定値以上であり、前記ノイズレベルが前記第２所定値以上である場合には、放送フォーマットが、デジタル放送のみで行われている第１オールデジタル形式であるとの判別を行い、
前記判別の後、前記第１オールデジタル形式のデジタル放送が再生可能となるまでの期間は、引き続き、前記出力部に対してミュート処理を行わせる制御を行い、
前記第１オールデジタル形式のデジタル放送が再生可能となった後には、直ちに、前記出力部に対してデジタル放送用再生信号を前記再生信号として出力させる制御を行う、
ことを特徴とする請求項２〜４のいずれか一項に記載の放送受信装置。
【請求項６】
前記制御部は、
前記検出部による検出結果における前記信号レベルが前記第１所定値未満である場合には、放送フォーマットが、デジタル放送のみで行われている第２オールデジタル形式であると判別を行い、
前記判別の後、前記第２オールデジタル形式のデジタル放送が再生可能となるまでの期間は、引き続き、前記出力部に対してミュート処理を行わせる制御を行い、
前記第２オールデジタル形式のデジタル放送が再生可能となった後には、直ちに、前記出力部に対してデジタル放送用再生信号を前記再生信号として出力させる制御を行う、
ことを特徴とする請求項２〜５のいずれか一項に記載の放送受信装置。
【請求項７】
選局指令に対応する放送信号を、所定周波数が中心周波数となっている中間周波数帯の信号である中間周波信号に変換するフロントエンド部と；前記中間周波信号に対して、アナログ放送用の再生処理を行って、アナログ放送用再生信号を生成するアナログ再生処理部と；前記中間周波信号に対して、デジタル放送用の再生処理を行って、デジタル放送用再生信号を生成するデジタル再生処理部と；前記アナログ放送用再生信号及び前記デジタル放送用再生信号に基づいて、再生信号を出力する出力部と；を備える放送受信装置において使用される放送受信方法であって、
前記所定周波数を含む所定周波数帯域における前記中間周波信号の信号レベル、及び、前記所定周波数帯域における前記中間周波信号がアナログ放送信号であるとした場合のノイズレベルを検出する検出工程と；
前記検出工程において検出された前記中間周波信号の信号レベル及びノイズレベルに基づいて、受信した放送信号の放送フォーマットを判別する判別処理を行い、少なくとも前記判別処理が終了するまでの間は、前記出力部に対してミュート処理を行わせる制御を行う制御工程と；
を備えることを特徴とする放送受信方法。
【請求項８】
放送受信装置が有するコンピュータに、請求項７に記載の放送受信方法を実行させる、ことを特徴とする放送受信プログラム。
【請求項９】
放送受信装置が有するコンピュータにより読み取り可能に、請求項８に記載の放送受信プログラムが記録されている、ことを特徴とする記録媒体。
【発明の詳細な説明】
【技術分野】
【０００１】
本発明は、放送受信装置、放送受信方法、放送受信プログラム、及び、当該放送受信プログラムが記録された記録媒体に関する。
【背景技術】
【０００２】
従来から、ラジオ放送波を受信して、放送内容を再生するラジオ受信装置が広く普及している。こうしたラジオ放送としては、アナログ放送が伝統的に採用されてきたが、最近においては、デジタル放送の採用が進行している。
【０００３】
かかるデジタル放送の方式の一つとして、米国で採用されているＩＢＯＣ（In-Band On-Channel）方式がある。このＩＢＯＣ方式では、放送フォーマットとして、アナログ放送からデジタル放送への移行過渡期段階の「ハイブリッド形式」、デジタル放送に移行した段階の「オールデジタル形式」等が用意されている。
【０００４】
ここで、「ハイブリッド形式」では、チャンネルの周波数帯域の中央部分（以下、「帯域中央部分」ともいう）に配置された既存のアナログ放送波（以下、「アナログ放送成分」ともいう）に隣接して、デジタル放送波（以下、「デジタル放送成分」ともいう）を当該帯域中央部分の両側の周波数帯域（サイドバンド）に追加するようにして配置している。そして、アナログ放送で放送する放送番組を、同時に、デジタル放送で放送することにより、サイマル放送を実現している。このため、ハイブリッド形式では、デジタル放送を利用した音質の向上が可能となっている。
【０００５】
また、「オールデジタル形式」では、ハイブリッド形式におけるアナログ放送波が配置されていたチャンネルの帯域中央部分にも、付加的なデジタル放送波が配置されている。このオールデジタル形式は、今後、ハイブリッド形式に代わって運用されることが期待される放送フォーマットである。
【０００６】
ここで、ハイブリッド形式の放送フォーマットに対応した放送受信機では、一般的に、選局後の音声再生処理において、まず、アナログ放送の再生準備のため一定時間、出力音声のミュート処理を行う。次いで、アナログ放送に比べて、デジタル放送の方が音声再生処理に要する時間が長いことから、当該一定時間経過後にミュート処理を解除して、アナログラジオ放送の放送内容を再生する。そして、デジタルラジオ放送の音声再生が可能となった時点から、デジタルラジオ放送の再生に切り替えるようになっている。
【０００７】
しかしながら、ハイブリッド形式に対応した放送受信機では、帯域中央部分及び当該帯域中央部分の両側の周波数帯域にデジタル放送成分を有するオールデジタル形式の放送（後述する図２（Ａ）参照）を受信したときに、ハイブリッド形式の場合のアナログ放送波が配置されている帯域中央部分の放送成分がデジタル放送波であるため、当該帯域中央部分の信号についてアナログ放送に対応した検波処理を行っても、放送音声に対応する音声信号を得ることができない。このため、デジタル放送の放送信号の復号処理が完了してデジタルラジオ放送の放送内容が再生されるまでは、デジタル放送波をアナログ放送波として処理して得られた信号に基づく音がスピーカから出力されることになる。この結果、ミュート処理を解除してからデジタルラジオ放送の再生に切り替わるまでの間では、聴取者には、雑音が聴こえることになる。さらに、デジタル変調部分をアナログ検波した際には、放送局のない状態での雑音とは異なり、雑音音量が大きくなる。
【０００８】
また、ハイブリッド形式に対応した放送受信機では、帯域中央部分の両側の周波数帯域にのみデジタル放送成分を有するオールデジタル形式の放送（後述する図２（Ｂ）参照）を受信したときにも、ミュート処理を解除してからデジタルラジオ放送の再生に切り替わるまでの間では、聴取者には、音量は小さいかもしれないが雑音が聴こえることになる。
【０００９】
こうした事態を解消するため、ハイブリッド形式及びオールデジタル形式の放送フォーマットに対応した技術が提案されている（特許文献１参照：以下、「従来例」と呼ぶ）。この従来例の技術では、ＩＢＯＣ方式の放送を受信するに際して、デジタル中間周波信号を復調することにより得られるプライマリサービス情報に基づいて、放送フォーマットが「ハイブリッド形式」であるか、又は、「オールデジタル形式」であるか否かの検知処理を行い、当該検知処理の期間、ミュート処理を行う。そして、検知された信号フォーマットがオールデジタル形式である場合には、帯域中央部分のデジタル放送波をアナログ放送波として検波処理する信号の出力のみをミュートするようになっている。
【先行技術文献】
【特許文献】
【００１０】
【特許文献１】特開２００９−１３０７４５号公報
【発明の概要】
【発明が解決しようとする課題】
【００１１】
上述した従来例の技術では、放送フォーマットが「オールデジタル形式」である場合に、デジタル放送波をアナログ放送波として検波処理してしまう信号の出力をミュートするため、聴取者にとっての雑音を出力することはない。しかしながら、従来例の技術では、放送フォーマットが「ハイブリッド形式」であった場合に、デジタル中間周波信号の復調処理が行われて放送フォーマットの検知が完了するまでの間では、アナログ放送に基づく音声再生が可能であるにも関わらず、アナログ放送の音声出力を行わない。この結果、放送フォーマットが「アナログ形式」又は「ハイブリッド形式」であった場合に、選局操作から音声出力までの時間が長くなる。こうした事態の発生は、ラジオ放送の聴取者に対して、聴感上の利便性を欠くことになる。
【００１２】
このため、放送局によって異なる放送フォーマットの放送を受信した際に、聴取者にとっての雑音の発生を抑制しつつ、迅速に放送フォーマットを判別して、音声再生を開始することができる技術が望まれている。かかる要請に応えることが、本発明が解決すべき課題の一つとして挙げられる。
【課題を解決するための手段】
【００１３】
請求項１に記載の発明は、選局指令に対応する放送信号を、所定周波数が中心周波数となっている中間周波数帯の信号である中間周波信号に変換するフロントエンド部と；前記所定周波数を含む所定周波数帯域における前記中間周波信号の信号レベル、及び、前記所定周波数帯域における前記中間周波信号がアナログ放送信号であるとした場合のノイズレベルを検出する検出部と；前記中間周波信号に対して、アナログ放送用の再生処理を行って、アナログ放送用再生信号を生成するアナログ再生処理部と；前記中間周波信号に対して、デジタル放送用の再生処理を行って、デジタル放送用再生信号を生成するデジタル再生処理部と；前記アナログ放送用再生信号及び前記デジタル放送用再生信号に基づいて、再生信号を出力する出力部と；前記出力部を制御する制御部と；を備え、前記制御部は、前記検出部により検出された前記中間周波信号の信号レベル及びノイズレベルに基づいて、受信した放送信号の放送フォーマットを判別する判別処理を行い、少なくとも前記判別処理が終了するまでの間は、前記出力部に対してミュート処理を行わせる制御を行う、ことを特徴とする放送受信装置である。
【００１４】
請求項７に記載の発明は、選局指令に対応する放送信号を、所定周波数が中心周波数となっている中間周波数帯の信号である中間周波信号に変換するフロントエンド部と；前記中間周波信号に対して、アナログ放送用の再生処理を行って、アナログ放送用再生信号を生成するアナログ再生処理部と；前記中間周波信号に対して、デジタル放送用の再生処理を行って、デジタル放送用再生信号を生成するデジタル再生処理部と；前記アナログ放送用再生信号及び前記デジタル放送用再生信号に基づいて、再生信号を出力する出力部と；を備える放送受信装置において使用される放送受信方法であって、前記所定周波数を含む所定周波数帯域における前記中間周波信号の信号レベル、及び、前記所定周波数帯域における前記中間周波信号がアナログ放送信号であるとした場合のノイズレベルを検出する検出工程と；前記検出工程において検出された前記中間周波信号の信号レベル及びノイズレベルに基づいて、受信した放送信号の放送フォーマットを判別する判別処理を行い、少なくとも前記判別処理が終了するまでの間は、前記出力部に対してミュート処理を行わせる制御を行う制御工程と；を備えることを特徴とする放送受信方法である。
【００１５】
請求項８に記載の発明は、放送受信装置が有するコンピュータに、請求項７に記載の放送受信方法を実行させる、ことを特徴とする放送受信プログラムである。
【００１６】
請求項９に記載の発明は、放送受信装置が有するコンピュータにより読み取り可能に、請求項８に記載の放送受信プログラムが記録されている、ことを特徴とする記録媒体である。
【図面の簡単な説明】
【００１７】
【図１】放送フォーマットの違いによるデジタル放送波の周波数分布を説明するための図（その１）である。
【図２】放送フォーマットの違いによるデジタル放送波の周波数分布を説明するための図（その２）である。
【図３】本発明の一実施形態に係る放送受信装置の構成を概略的に示すブロック図である。
【図４】図３の再生処理ユニットの構成を示すブロック図である。
【図５】図３の装置による再生出力選択制御処理を説明するためのフローチャートである。
【図６】図５の第１種選択制御処理を説明するためのフローチャートである。
【図７】図５の第２種選択制御処理を説明するためのフローチャートである。
【図８】図３の装置による再生出力選択制御処理の結果を説明するための図である。
【図９】放送フォーマットの違いによるデジタル放送波の周波数分布を説明するための図（その３）である。
【図１０】放送フォーマットの違いによるデジタル放送波の周波数分布を説明するための図（その４）である。
【発明を実施するための形態】
【００１８】
以下、本発明の一実施形態を、図１〜図８を参照して説明する。本実施形態においては、車両内に配置され、ＩＢＯＣ方式の規格に準拠したＦＭステレオラジオ放送波を受信して再生することが可能な放送受信装置を例示して説明する。なお、以下の説明及び図面においては、同一又は同等の要素には同一の符号を付し、重複する説明を省略する。
【００１９】
［ＩＢＯＣ方式の放送フォーマット］
本実施形態に係る放送受信装置の構成の説明に先立って、ＩＢＯＣ方式の放送フォーマットの例について説明する。以下では、選局された放送局の物理チャンネルの中心周波数fjが、フロントエンド部により中間周波数帯における所定周波数ＦFCに変換された場合の信号レベルの周波数分布を示しつつ、放送フォーマットについて説明する。
【００２０】
図１（Ａ）には、アナログ放送のみが行われている「アナログ形式」の放送波を受信したときの信号レベルの周波数分布が示されている。この「アナログ形式」では、アナログ放送成分ＡＢＳFが、周波数（ＦFC−ΔＦF1）〜（ＦFC＋ΔＦF1）の範囲に含まれている。
【００２１】
また、図１（Ｂ）には、アナログ放送とデジタル放送とが同時に行われている「ハイブリッド形式」の放送波を受信したときの信号レベルの周波数分布が示されている。この「ハイブリッド形式」では、アナログ放送成分ＡＢＳFが、周波数（ＦFC−ΔＦF1）〜（ＦFC＋ΔＦF1）の範囲に含まれる。さらに、「ハイブリッド形式」では、デジタル放送成分の上側第１成分ＤＰＵFが、周波数（ＦFC＋ΔＦF1）〜（ＦFC＋ΔＦF0（＞ΔＦF1））の範囲に含まれ、デジタル放送成分の下側第１成分ＤＰＬFが、周波数（ＦFC−ΔＦF0）〜（ＦFC−ΔＦF1）の範囲に含まれている。
【００２２】
また、図２（Ａ）には、デジタル放送のみが行われている「第１オールデジタル形式」の放送波を受信したときの信号レベルの周波数分布が示されている。この「第１オールデジタル形式」では、アナログ形式及びハイブリッド形式において、アナログ放送成分が含まれていた周波数（ＦFC−ΔＦF1）〜（ＦFC＋ΔＦF1）の範囲に、デジタル放送成分の上側第２成分ＤＳＵF及び下側第２成分ＤＳＬFが含まれている。ここで、デジタル放送成分の上側第２成分ＤＳＵFは、周波数ＦFC〜（ＦFC＋ΔＦF1）の範囲に含まれ、デジタル放送成分の下側第２成分ＤＳＬFは、周波数（ＦFC−ΔＦF1）〜ＦFCの範囲に含まれている。そして、ハイブリッド形式と同様に、デジタル放送成分の上側第１成分ＤＰＵFが、周波数（ＦFC＋ΔＦF1）〜（ＦFC＋ΔＦF0）の範囲に含まれ、デジタル放送成分の下側第１成分ＤＰＬFが、周波数（ＦFC−ΔＦF0）〜（ＦFC−ΔＦF1）の範囲に含まれている。
【００２３】
さらに、図２（Ｂ）には、デジタル放送のみが行われている「第２オールデジタル形式」の放送波を受信したときの信号レベルの周波数分布が示されている。この「第２オールデジタル形式」では、アナログ形式及びハイブリッド形式において、アナログ放送成分が含まれていた周波数（ＦFC−ΔＦF1）〜（ＦFC＋ΔＦF1）の範囲に、アナログ放送成分及びデジタル放送成分のいずれも含まれていない。そして、ハイブリッド形式及び第１オールデジタル形式と同様に、デジタル放送成分の上側第１成分ＤＰＵFが、周波数（ＦFC＋ΔＦF1）〜（ＦFC＋ΔＦF0）の範囲に含まれ、デジタル放送成分の下側第１成分ＤＰＬFが、周波数（ＦFC−ΔＦF0）〜（ＦFC−ΔＦF1）の範囲に含まれている。
【００２４】
なお、以下の説明では、「第１オールデジタル形式」及び「第２オールデジタル形式」を、まとめて「オールデジタル形式」とも記す。
【００２５】
ここで、デジタル放送成分は、ＯＦＤＭ（Orthogonal Frequency Division Multiplex）変調が施されている。すなわち、デジタル放送成分は、搬送波周波数の異なる複数のデジタル変調信号により構成され、当該複数のデジタル変調信号を重ね合わせたものとなっている。このため、デジタル放送成分は、ランダムに近い信号となっている。
【００２６】
したがって、所定周波数範囲（ＦFC−ΔＦFD（＜ΔＦF1））〜（ＦFC＋ΔＦFD）における第１オールデジタル形式の中間周波信号のランダム度合い（図２（Ａ）参照）は、当該所定周波数範囲（ＦFC−ΔＦFD）〜（ＦFC＋ΔＦFD）におけるアナログ形式及びハイブリッド形式の中間周波信号のランダム度合い（図１（Ａ），（Ｂ）参照）に比べて、非常に高くなっている。ここで、本実施形態では、所定周波数範囲は、ハイブリッド形式のアナログ放送成分の周波数帯域（ＦFC−ΔＦF1）〜（ＦFC＋ΔＦF1）よりも狭くなっている（図１，２参照）。
【００２７】
上述したデジタル放送成分の特性から、デジタル放送成分をアナログ放送成分として検波処理を行った場合には、ノイズ音成分となってしまう。すなわち、デジタル放送成分は、アナログ放送成分としては単なるノイズ成分となる。
【００２８】
［構成］
図３には、一実施形態に係る放送受信装置１００の概略的な構成がブロック図にて示されている。図１に示されるように、放送受信装置１００は、アンテナ１１０と、ＲＦ処理ユニット１２０と、再生処理ユニット１３０とを備えている。また、放送受信装置１００は、アナログ処理ユニット１４０と、スピーカユニット１５０と、入力ユニット１８０とを備えている。さらに、放送受信装置１００は、制御ユニット１９０を備えている。
【００２９】
上記のアンテナ１１０は、放送局から送信されている放送波を受信する。アンテナ１１０による受信信号ＲＦＳは、ＲＦ処理ユニット１２０へ送られる。
【００３０】
上記のＲＦ処理ユニット１２０は、アンテナ１１０から送られた受信信号ＲＦＳを受ける。そして、ＲＦ処理ユニット１２０は、制御ユニット１９０から送られた選局指令ＣＳＬに従って、選局すべき希望放送局の信号を受信信号ＲＦＳから抽出する選局処理を行い、所定の中間周波数帯の成分を有する中間周波信号ＩＦＤに変換する。こうして得られた中間周波信号ＩＦＤ（以下、単に「信号ＩＦＤ」とも記す）は、再生処理ユニット１３０へ送られる。このように、ＲＦ処理ユニット１２０は、フロントエンド部の機能を果たすようになっている。
【００３１】
ＲＦ処理ユニット１２０は、入力フィルタと、高周波増幅器（ＲＦ−ＡＭＰ：Radio Frequency-Amplifier）と、バンドパスフィルタ（以下、「ＲＦフィルタ」とも呼ぶ）とを備えている。また、ＲＦ処理ユニット１２０は、ミキサ（混合器）と、中間周波フィルタ（以下、「ＩＦフィルタ」と呼ぶ）と、ＡＤ（Analogue to Digital）変換器と、局部発振回路（ＯＳＣ）とを備えている。
【００３２】
ここで、入力フィルタは、アンテナ１１０から送られた受信信号ＲＦＳの低周波成分を遮断するハイパスフィルタである。高周波増幅器は、入力フィルタを通過した信号を増幅する。ＲＦフィルタは、高周波増幅器から出力された信号のうち、高周波帯の信号を選択的に通過させる。ミキサは、ＲＦフィルタを通過した信号と、局部発振回路から供給された局部発振信号とを混合する。
【００３３】
ＩＦフィルタは、ミキサから出力された信号のうち、予め定められた中間周波数範囲の信号を選択して通過させる。こうしてＩＦフィルタを通過した信号は、信号ＩＦＳとして、ＡＤ変換器へ送られる。ＡＤ変換器は、信号ＩＦＳをＡＤ変換して中間周波信号ＩＦＤを生成する。
【００３４】
なお、局部発振回路は、電圧制御等により発振周波数の制御が可能な発振器等を備えて構成される。この局部発振回路は、制御ユニット１９０から送られた選局指令ＣＳＬに従って、選局すべき希望局に対応する周波数の局部発振信号を生成し、ミキサへ供給する。
【００３５】
上記の再生処理ユニット１３０は、ＲＦ処理ユニット１２０から送られる中間周波信号ＩＦＤを受ける。そして、再生処理ユニット１３０は、制御ユニット１９０による制御のもとで、中間周波信号ＩＦＤを処理して、アナログ処理ユニット１４０へ供給する信号ＢＰＤを生成する。ここで、信号ＢＰＤは、レフトチャンネル（以下、「Ｌチャンネル」）信号及びライトチャンネル（以下、「Ｒチャンネル」）信号の２つの信号から構成されている。再生処理ユニット１３０の構成の詳細については、後述する。
【００３６】
上記のアナログ処理ユニット１４０は、再生処理ユニット１３０から送られた信号ＢＰＤを受ける。そして、アナログ処理ユニット１４０は、制御ユニット１９０による制御のもとで、出力音声信号ＡＯＳを生成して、スピーカユニット１５０へ送る。
【００３７】
かかる機能を有するアナログ処理ユニット１４０は、ＤＡ（Digital to Analogue）変換部と、音量調整部と、パワー増幅部とを備えて構成されている。ここで、ＤＡ変換部は、再生処理ユニット１３０から送られた信号ＢＰＤを受ける。そして、ＤＡ変換部は、信号ＢＰＤをアナログ信号に変換する。なお、ＤＡ変換部は、信号ＢＰＤに含まれるＬチャンネル信号及びＲチャンネル信号に対応して、互いに同様に構成された２個のＤＡ変換器を備えている。ＤＡ変換部によるアナログ変換結果の信号は、音量調整部へ送られる。
【００３８】
音量調整部は、ＤＡ変換部から送られたＬチャンネル及びＲチャンネルのアナログ変換結果の信号を受ける。そして、音量調整部は、制御ユニット１９０から送られた音量調整指令ＶＬＣに従って、Ｌチャンネル及びＲチャンネルのそれぞれに対応するアナログ変換結果の信号に対して音量調整処理を施す。なお、音量調整部は、Ｌチャンネル及びＲチャンネルに対応して、互いに同様に構成された２個の電子ボリューム素子等を備えて構成されている。音量調整部による音量調整結果の信号は、パワー増幅部へ送られる。
【００３９】
パワー増幅部は、音量調整部から送られたＬチャンネル及びＲチャンネルの音量調整結果の信号を受ける。そして、パワー増幅部は、音量調整結果の信号をパワー増幅する。なお、パワー増幅部は、Ｌチャンネル及びＲチャンネルに対応して、互いに同様に構成された２個のパワー増幅器を備えている。パワー増幅部による増幅結果である出力音声信号ＡＯＳは、スピーカユニット１５０へ送られる。
【００４０】
このように、アナログ処理ユニット１４０は、出力部の一部の機能を果たすようになっている。
【００４１】
上記のスピーカユニット１５０は、Ｌチャンネルスピーカ及びＲチャンネルスピーカを備えている。このスピーカユニット１５０は、アナログ処理ユニット１４０から送られた出力音声信号ＡＯＳに従って、音声を再生出力する。
【００４２】
上記の入力ユニット１８０は、放送受信装置１００の本体部に設けられたキー部、及び／又はキー部を備えるリモート入力装置等により構成される。ここで、本体部に設けられたキー部としては、不図示の表示ユニットに設けられたタッチパネルを用いることができる。また、キー部を有する構成に代えて、又は併用して音声認識技術を利用して音声にて入力する構成を採用することもできる。
【００４３】
この入力ユニット１８０を利用者が操作することにより、放送受信装置１００の動作内容の設定や動作指令の入力が行われる。例えば、希望放送局を指定した選局指定、音量調整指定等の利用者による入力が、入力ユニット１８０を利用して行われる。入力ユニット１８０への入力内容は、入力データＩＰＤとして、制御ユニット１９０へ送られる。
【００４４】
上記の制御ユニット１９０は、放送受信装置１００の全体を制御する。この制御ユニット１９０は、入力ユニット１８０から送られた入力データＩＰＤの内容が選局指定であった場合には、指定された希望放送局に対応する選局指令ＣＳＬを生成して、ＲＦ処理ユニット１２０へ送る。また、入力データＩＰＤの内容が音量調整指定であった場合には、制御ユニット１９０は、指定された音量調整指定に対応する音量調整指令ＶＬＣを生成して、アナログ処理ユニット１４０へ送る。
【００４５】
制御ユニット１９０は、再生処理ユニット１３０から送られた所定周波数帯域（ＦFC−ΔＦFD）〜（ＦFC＋ΔＦFD）における中間周波信号ＩＦＤの信号レベル値ＳＬＶ、及び、所定周波数帯域における中間周波信号ＩＦＤがアナログ放送信号であるとして処理した場合のノイズレベル値ＮＬＶ（以下、単に「ノイズレベル値ＮＬＶ」ともいう）を受ける。また、制御ユニット１９０は、再生処理ユニット１３０から送られるサービスモード判別情報ＳＭＩ及びデジタル放送音声利用情報ＤＡＡを受ける。そして、制御ユニット１９０は、信号レベル値ＳＬＶ、ノイズレベル値ＮＬＶ、サービスモード判別情報ＳＭＩ及びデジタル放送音声利用情報ＤＡＡに基づいて、音量調整指令ＶＬＣを生成して再生音声のミュート制御を行うとともに、放送選択制御指令ＢＳＬを生成して再生処理ユニット１３０へ送ることにより、再生出力選択制御を行う。
【００４６】
すなわち、制御ユニット１９０は、制御部の機能を果たすようになっている。制御ユニット１９０が実行するミュート制御及び再生出力選択制御の処理の詳細については、後述する。
【００４７】
＜再生処理ユニット１３０の構成＞
次に、再生処理ユニット１３０の構成について説明する。
【００４８】
再生処理ユニット１３０は、図４に示されるように、検出部１３１と、アナログ放送処理部１３５と、デジタル放送処理部１３６と、選択部１３７とを備えている。
【００４９】
上記の検出部１３１は、ＲＦ処理ユニット１２０から送られた中間周波信号ＩＦＤを受ける。そして、検出部１３１は、所定周波数範囲（ＦFC−ΔＦFD）〜（ＦFC＋ΔＦFD）（図１，２参照）における中間周波信号ＩＦＤの信号レベル値ＳＬＶ及びノイズレベル値ＮＬＶを検出する。検出された信号レベル値ＳＬＶ及びノイズレベル値ＮＬＶは、制御ユニット１９０へ送られる。
【００５０】
かかる機能を有する検出部１３１は、バンドパスフィルタ（ＢＰＦ）部１３２と、信号レベル検出部１３３と、ノイズレベル検出部１３４とを備えている。
【００５１】
上記のＢＰＦ部１３２は、ＲＦ処理ユニット１２０から送られた中間周波信号ＩＦＤを受ける。そして、ＢＰＦ部１３２は、所定周波数範囲（ＦFC−ΔＦFD）〜（ＦFC＋ΔＦFD）の成分を通過させる。ＢＰＦ部１３２を通過した信号ＣＰＤは、信号レベル検出部１３３及びノイズレベル検出部１３４へ送られる。
【００５２】
上記の信号レベル検出部１３３は、ＢＰＦ部１３２から送られた信号ＣＰＤを受ける。そして、信号レベル検出部１３３は、信号ＣＰＤのパワーレベルを検出する。検出された信号ＣＰＤの信号レベルは、信号レベル値ＳＬＶとして、制御ユニット１９０へ送られる。
【００５３】
上記のノイズレベル検出部１３４は、ＢＰＦ部１３２から送られた信号ＣＰＤを受ける。そして、ノイズレベル検出部１３４は、信号ＣＰＤがアナログ放送信号であるとして処理した場合のノイズレベルを検出する。検出された信号ＣＰＤのノイズレベルは、ノイズレベル値ＮＬＶとして、制御ユニット１９０へ送られる。
【００５４】
上記のアナログ放送処理部１３５は、ＲＦ処理ユニット１２０から送られた信号ＩＦＤを受ける。そして、アナログ放送処理部１３５は、信号ＩＦＤにおけるアナログ放送成分に対する再生処理を行う。アナログ放送処理部１３５による再生処理結果は、アナログ放送処理信号ＡＢＤ（以下、「信号ＡＢＤ」と呼ぶ）として選択部１３７へ送られる。
【００５５】
かかる機能を有するアナログ放送処理部１３５は、検波部と、ステレオ復調部とを備えている（いずれも不図示）。
【００５６】
検波部は、ＲＦ処理ユニット１２０から送られた信号ＩＦＤを受ける。そして、検波部は、信号ＩＦＤにおけるアナログ放送成分の周波数帯域の信号成分に対して、所定の方式で検波処理を施して、検波信号を生成する。こうして生成された検波信号は、ステレオ復調部へ送られる。
【００５７】
ステレオ復調部は、検波部から送られた検波信号を受ける。そして、ステレオ復調部は、検波信号に対してステレオ復調処理を施し、信号ＡＢＤを生成する。ステレオ復調部は、生成された信号ＡＢＤを、選択部１３７へ送る。なお、信号ＡＢＤは、Ｌチャンネル信号及びＲチャンネル信号の２つの信号から構成されている。また、放送フォーマットが、第１オールデジタル形式又は第２オールデジタル形式であった場合には、信号ＡＢＤは、ノイズ音信号となる。
【００５８】
このように、アナログ放送処理部１３５は、アナログ再生処理部の機能を果たすようになっている。
【００５９】
上記のデジタル放送処理部１３６は、ＲＦ処理ユニット１２０から送られた信号ＩＦＤを受ける。そして、デジタル放送処理部１３６は、信号ＩＦＤにおけるデジタル放送成分に対する再生処理を行う。デジタル放送処理部１３６による再生処理結果は、デジタル放送処理信号ＤＢＤ（以下、信号「ＤＢＤ」と呼ぶ）として選択部１３７へ送られる。
【００６０】
かかる機能を有するデジタル放送処理部１３６は、ＯＦＤＭ復調部と、デコード部とを備えている（いずれも不図示）。
【００６１】
ＯＦＤＭ復調部は、ＲＦ処理ユニット１２０から送られた信号ＩＦＤを受ける。そして、ＯＦＤＭ復調部は、信号ＩＦＤにおけるデジタル放送成分の周波数帯域の信号成分に対して、ＯＦＤＭ復調処理を施して、ＯＦＤＭ復調信号を生成する。こうして生成されたＯＦＤＭ復調信号は、デコード部へ送られる。
【００６２】
デコード部は、ＯＦＤＭ復調部から送られたＯＦＤＭ復調信号を受ける。そして、デコード部は、ＯＦＤＭ復調信号に対して復号処理を行う。この復号に際して、デコード部は、ＯＦＤＭ復調信号に対して符号の誤り検出を行ったうえで誤り訂正を行う。デコード部は、当該誤り訂正の結果に含まれる音声の復号結果を、信号ＤＢＤとして、選択部１３７へ送る。なお、信号ＤＢＤは、Ｌチャンネル信号及びＲチャンネル信号の２つの信号から構成されている。
【００６３】
また、デジタル放送処理部１３６は、信号ＩＦＤにおけるデジタル放送成分に対する再生処理を行ってサービスモードを判別すると、サービスモード判別情報ＳＭＩを制御ユニット１９０へ送る。そして、デジタル放送処理部１３６は、サービスモードを判別した後、デジタル放送の音声の利用が可能となると、デジタル放送音声利用情報（Digital Audio Available）ＤＡＡを制御ユニット１９０へ送る。
【００６４】
このように、デジタル放送処理部１３６は、デジタル再生処理部の機能を果たすようになっている。
【００６５】
上記の選択部１３７は、アナログ放送処理部１３５から送られた信号ＡＢＤ及びデジタル放送処理部１３６から送られた信号ＤＢＤを受ける。そして、選択部１３７は、制御ユニット１９０から送られた放送選択制御指令ＢＳＬに従って、信号ＡＢＤ及び信号ＤＢＤのいずれか一方を選択し、選択信号ＢＰＤ（以下、「信号ＢＰＤ」と呼ぶ）として、アナログ処理ユニット１４０へ送られる。
【００６６】
ここで、選択部１３７は、制御ユニット１９０から送られた放送選択制御指令ＢＳＬによりアナログ放送波の再生信号を選択すべきことが指定された場合には、信号ＡＢＤを選択する。また、選択部１３７は、制御ユニット１９０から送られた放送選択制御指令ＢＳＬによりデジタル放送波の再生信号を選択すべきことが指定された場合には、信号ＤＢＤを選択する。すなわち、選択部１３７は、出力部の一部の機能を果たすようになっている。
【００６７】
［動作］
以上のようにして構成された放送受信装置１００の動作について、制御ユニット１９０による再生出力放送の選択制御処理に主に着目して説明する。
【００６８】
かかる再生出力放送の選択制御処理は、利用者による希望放送局を指定した選局指定の入力ユニット１８０への入力に対応して開始される。こうして希望放送局を指定した選局指定が入力ユニット１８０へ入力されると、図５に示されるように、まず、ステップＳ１１において、制御ユニット１９０が、「アナログ放送」を選択すべき旨の放送選択制御指令ＢＳＬを生成して、選択部１３７へ送る。次に、ステップＳ１２において、制御ユニット１９０は、ミュート処理を設定する音量調整指令ＶＬＣを生成して、アナログ処理ユニット１４０へ送るとともに、タイマをスタートさせる（後述する図８参照）。
【００６９】
アナログ処理ユニット１４０に対するミュート処理の設定が行われると、制御ユニット１９０は、希望放送局に対応する選局指令ＣＳＬを生成して、ＲＦ処理ユニット１２０へ送る（図３参照）。ＲＦ処理ユニット１２０は、当該選局指令ＣＳＬを受けると、希望放送局の信号を受信信号ＲＦＳから抽出する選局処理を行い、所定の中間周波数帯の成分を有する中間周波信号ＩＦＤに変換する。そして、ＲＦ処理ユニット１２０は、当該中間周波信号ＩＦＤを、再生処理ユニット１３０の検出部１３１、アナログ放送処理部１３５及びデジタル放送処理部１３６へ送る（図４参照）。
【００７０】
検出部１３１では、ＢＰＦ部１３２が、ＲＦ処理ユニット１２０から送られた中間周波信号ＩＦＤについて、所定周波数範囲の成分を通過させた信号ＣＰＤを、信号レベル検出部１３３及びノイズレベル検出部１３４へ送る。そして、信号レベル検出部１３３は、信号ＣＰＤのパワーレベルを検出し、検出された信号レベル値ＳＬＶを逐次、制御ユニット１９０へ送る。また、ノイズレベル検出部１３４は、信号ＣＰＤのノイズレベルを検出し、検出されたノイズレベル値ＮＬＶを逐次、制御ユニット１９０へ送る（図４参照）。
【００７１】
かかる検出処理と並行して、アナログ放送処理部１３５は、ＲＦ処理ユニット１２０から送られた信号ＩＦＤにおけるアナログ放送成分に対する再生処理を行う。また、デジタル放送処理部１３６は、ＲＦ処理ユニット１２０から送られた信号ＩＦＤにおけるデジタル放送成分に対する再生処理を行い、サービスモードを判別すると、サービスモード判別情報ＳＭＩを制御ユニット１９０へ送り、この後、デジタル放送の音声の利用が可能となると、デジタル放送音声利用情報ＤＡＡを制御ユニット１９０へ送るようになっている（図４参照）。
【００７２】
引き続き、ステップＳ１３において、制御ユニット１９０が、検出部１３１から送られた信号レベル値ＳＬＶ及びノイズレベル値ＮＬＶを取得する。次いで、ステップＳ１４において、制御ユニット１９０が、信号レベル値ＳＬＶ及びノイズレベル値ＮＬＶに基づいて、受信している希望放送局の放送フォーマットの第１判別処理を行い、放送フォーマットが「第１オールデジタル形式」又は「第２オールデジタル形式」であるか否かを判定する。
【００７３】
かかる放送フォーマットの第１判別処理に際して、制御ユニット１９０は、（Ａ）信号レベル値ＳＬＶが第１所定値以上であり、かつ、ノイズレベル値ＮＬＶが第２所定値未満である場合には、放送フォーマットが「アナログ形式」又は「ハイブリッド形式」のいずれかであると判別する。また、制御ユニット１９０は、（Ｂ）信号レベル値ＳＬＶが第１所定値以上であり、かつ、ノイズレベル値ＮＬＶが第２所定値以上である場合は、放送フォーマットが「第１オールデジタル形式」であると判別する。さらに、制御ユニット１９０は、（Ｃ）信号レベル値ＳＬＶが第１所定値未満である場合には、放送フォーマットが「第２オールデジタル形式」であると判別する。
【００７４】
ここで、第１所定値及び第２所定値は、ＦＭ放送波の放送フォーマットを精度良く判別する観点から、実験、シミュレーション、経験等に基づいて、予め定められる
【００７５】
ステップＳ１４における判定の結果が否定的であった場合（ステップＳ１４：Ｎ）には、処理はステップＳ１５へ進む。このステップＳ１５では、制御ユニット１９０が、タイマをスタートさせてから一定時間Ｔ１（後述する図８参照）が経過したか否かを判定する。この判定の結果が否定的であった場合には、処理はステップＳ１３へ戻る。そして、ステップＳ１３，Ｓ１４、Ｓ１５の繰り返し中に、ミュート処理を設定してから一定時間Ｔ１が経過して、ステップＳ１５における判定の結果が肯定的となると（ステップＳ１５：Ｙ）には、処理は、後述するステップＳ１８へ進む。
【００７６】
ステップＳ１４における判定の結果が肯定的であった場合（ステップＳ１４：Ｙ）には、処理はステップＳ１６へ進む。このステップＳ１６では、ミュート処理を延長する。この後、処理はステップＳ１７へ進む。
【００７７】
ステップＳ１７では、制御ユニット１９０が、受信している希望放送局の放送フォーマットの第２判別処理を行い、放送フォーマットが「第１オールデジタル形式」又は「第２オールデジタル形式」であるか否かを判定する。この第２判定処理は、タイマスタートからサービスモード判別情報ＳＭＩがデジタル放送処理部１３６から送られてくる時間よりも長く設定した一定時間Ｔ２（後述する図８参照）の間、待機し、サービスモード判別情報ＳＭＩの取得の有無、サービスモード判別情報ＳＭＩの内容に基づいて行われる。ここで、一定時間Ｔ２は、実験、シミュレーション、経験等に基づいて、予め定められる。
【００７８】
なお、放送フォーマットの第２判定は、上述した第１判定が誤判定であった場合に、当該誤判定を訂正するものである。ステップＳ１７における判定の結果が肯定的であった場合（ステップＳ１７：Ｙ）には、処理はステップＳ１９へ進む。ステップＳ１９では、制御ユニット１９０が、「第１種選択制御処理」を行う。かかるステップＳ１９の処理の詳細については、後述する。そして、ステップＳ１９の処理が終了すると、制御ユニット１９０による再生出力放送の選択制御処理が終了する。
【００７９】
一方、ステップＳ１７における判定の結果が否定的であった場合（ステップＳ１７：Ｙ）には、処理はステップＳ１８へ進む。このステップＳ１８では、上述したステップＳ１２において設定したミュート処理を解除する。この結果、アナログ放送に基づく再生音声が、スピーカユニット１５０から出力される。この後、処理はステップＳ２０へ進む。
【００８０】
ステップＳ２０では、制御ユニット１９０が、「第２種選択制御処理」を行う。かかるステップＳ２０の処理の詳細については、後述する。そして、ステップＳ２０の処理が終了すると、制御ユニット１９０による再生出力放送の選択制御処理が終了する。
【００８１】
＜第１種選択制御処理＞
次に、上述したステップＳ１９における「第１種選択制御処理」について説明する。
【００８２】
この「第１種選択制御処理」は、図６に示されるように、まず、ステップＳ３１において、制御ユニット１９０が、デジタル放送処理部１３６から送られてくるデジタル放送音声利用情報ＤＡＡを受けたか否かを判定する。この判定の結果が否定的であった場合（ステップＳ３１：Ｙ）には、ステップＳ３１の処理が繰り返される。
【００８３】
デジタル放送音声利用情報ＤＡＡを受けて、ステップＳ３１における判定の結果が肯定的となると、処理はステップＳ３２へ進む。このステップ３２では、制御ユニット１９０が、再生出力する放送として「デジタル放送」を選択すべき旨の放送選択制御指令ＢＳＬを生成して、選択部１３７へ送る。次に、ステップＳ３３において、制御ユニット１９０は、ミュート処理設定を解除する音量調整指令ＶＬＣを生成して、アナログ処理ユニット１４０へ送る。この結果、デジタル放送に基づく再生音声が、スピーカユニット１５０から出力される。こうして、デジタル放送に基づく再生音声がスピーカユニット１５０から出力されると、ステップＳ１９の処理が終了する。そして、制御ユニット１９０による再生出力放送の選択制御処理が終了する。
【００８４】
＜第２種選択制御処理＞
次に、上述したステップＳ２０における「第２種選択制御処理」について説明する。
【００８５】
この「第２種選択制御処理」は、図７に示されるように、まず、ステップＳ４１において、制御ユニット１９０が、デジタル放送音声利用情報ＤＡＡを受けたか否かを判定する。この判定の結果が否定的であった場合（ステップＳ４１：Ｙ）には、処理はステップＳ４２へ進む。
【００８６】
ステップＳ４２では、制御ユニット１９０が、タイマをスタートさせてから、一定時間Ｔ３が経過したか否かを判定する。ここで、一定時間Ｔ３（後述する図８参照）は、放送フォーマットが「ハイブリッド形式」である場合に、デジタル放送処理部１３６からデジタル放送音声利用情報ＤＡＡが送られてくる時間よりもわずかに長く設定し、実験、シミュレーション、経験等に基づいて、予め定められる。この判定の結果が否定的であった場合（ステップＳ４２：Ｎ）には、処理はステップＳ４１へ戻る。
【００８７】
デジタル放送音声利用情報ＤＡＡを受けて、ステップＳ４１における判定の結果が肯定的となると、処理はステップＳ４３へ進む。このステップ４３では、制御ユニット１９０が、再生出力する放送として「デジタル放送」を選択すべき旨の放送選択制御指令ＢＳＬを生成して、選択部１３７へ送る。この結果、スピーカユニット１５０から出力される再生音声が、アナログ放送に基づく再生音声からデジタル放送に基づく再生音声に切り換わる。こうして、デジタル放送に基づく再生音声がスピーカユニット１５０から出力されると、ステップＳ２０の処理が終了する。そして、制御ユニット１９０による再生出力放送の選択制御処理が終了する。
【００８８】
ステップＳ４２における判定の結果が否定的であった場合（ステップＳ４２：Ｎ）にも、ステップＳ２０の処理が終了する。そして、制御ユニット１９０による再生出力放送の選択制御処理が終了する。
【００８９】
上述のようにして実行された再生出力放送の選択制御処理の結果が、放送フォーマットごとに、図８に示されている。
【００９０】
以上説明したように、本実施形態では、放送局を指定した選局指定が入力ユニット１８０へ入力されると、制御ユニット１９０が、アナログ放送を選択して、出力音声のミュート処理を行う。そして、当該ミュート処理中に、ＲＦ処理ユニット１２０が、制御ユニット１９０から送られた選局指令ＣＳＬに従って、選局すべきに希望放送局の放送信号を、所定周波数が中心周波数となっている中間周波数帯の信号である中間周波信号ＩＦＤに変換する。引き続き、検出部１３１が、所定周波数範囲における中間周波信号ＩＦＤの信号レベル値ＳＬＶ及びノイズレベル値ＮＬＶを検出する。ここで、所定周波数範囲は、ハイブリッド形式のアナログ放送成分の周波数帯域（ＦFC−ΔＦF1）〜（ＦFC＋ΔＦF1）より狭い範囲となっている。
【００９１】
次に、制御ユニット１９０が、所定周波数範囲における中間周波信号ＩＦＤの信号レベル値ＳＬＶ及びノイズレベル値ＮＬＶに基づいて、受信している希望放送局の放送フォーマットの第１判別処理を行う。かかる第１判別処理に際して、制御ユニット１９０は、（Ａ）信号レベル値ＳＬＶが第１所定値以上であり、かつ、ノイズレベル値ＮＬＶが第２所定値未満である場合には、放送フォーマットがアナログ形式又はハイブリッド形式のいずれかであると判別し、（Ｂ）信号レベル値ＳＬＶが第１所定値以上であり、かつ、ノイズレベル値ＮＬＶが第２所定値以上である場合は、放送フォーマットが第１オールデジタル形式であると判別する。また、制御ユニット１９０は、（Ｃ）信号レベル値ＳＬＶが第１所定値未満である場合には、放送フォーマットが第２オールデジタル形式であると判別する。
【００９２】
そして、制御ユニット１９０は、受信している希望放送局の放送フォーマットが、第１判別により「オールデジタル形式」であると判定した場合には、ミュート処理の設定時間を延長して、サービスモード判別情報ＳＭＩに基づく放送フォーマットの第２判別を行う。引き続き、制御ユニット１９０は、第２判別処理で放送フォーマットがオールデジタル形式であると判定したときには、デジタル放送音声利用情報ＤＡＡを受けるとデジタル放送を選択してミュートを解除する。
【００９３】
このため、放送フォーマットが、第１又は第２オールデジタル形式であった場合には、聴取者にとっての雑音の発生を抑制しつつ、デジタル放送が再生可能になると、直ちに、デジタル放送に基づく再生音声を出力することができる。
【００９４】
また、第１判別又は第２判別により、放送フォーマットがアナログ形式又はハイブリッド形式であると判定した場合には、制御ユニット１９０は、一定時間経過後にミュートを解除し、アナログ放送に基づく再生音声を出力させる。この後、デジタル放送音声利用情報ＤＡＡを受けた際には、スピーカユニット１５０から出力される再生音声を、アナログ放送に基づく再生音声からデジタル放送に基づく再生音声に切り換える。
【００９５】
このため、放送フォーマットが、アナログ形式又はハイブリッド形式であった場合には、ミュート処理を設定することにより、聴取者にとっての雑音の発生を抑制しつつ、一定時間経過後に、アナログ放送に基づく再生音声を出力する。そして、この後、デジタル放送が再生可能になった段階で、直ちに、高音質のデジタル放送に基づく高音質の再生音声を出力することができる。
【００９６】
したがって、本実施形態によれば、放送局によって異なる放送フォーマットの放送を受信した際に、聴取者にとっての雑音の発生を抑制しつつ、迅速に放送フォーマットを判別して、音声再生を開始することができる。
【００９７】
［実施形態の変形］
本発明は、上記の実施形態に限定されるものではなく、様々な変形が可能である。
【００９８】
例えば、上記の実施形態では、ＩＢＯＣ方式の周波数変調（ＦＭ）放送波を受信する放送受信装置に本発明を適用したが、ＩＢＯＣ方式の振幅変調（ＡＭ）放送波を受信する放送受信装に本発明を適用することができる。
【００９９】
ここで、図９（Ａ）には、ＡＭアナログ放送のみが行われている「アナログ形式」の放送波を受信したときの信号レベルの周波数分布が示されている。また、図９（Ｂ）には、ＡＭ放送の「ハイブリッド形式」の放送波を受信したときの信号レベルの周波数分布が示され、図１０には、ＡＭ放送の「オールデジタル形式」の放送波を受信したときの信号レベルが示されている。
【０１００】
図９（Ａ）のアナログ形式では、アナログ放送成分ＡＢＳAが、周波数（ＦAC−ΔＦA1）〜（ＦAC＋ΔＦA1）の範囲に含まれている。また、図９（Ｂ）のハイブリッド形式では、デジタル放送成分の上側第１成分ＤＰＵAが、周波数（ＦAC＋２ΔＦA1）〜（ＦAC＋３ΔＦA1）の範囲に含まれ、デジタル放送成分の下側第１成分ＤＰＬAが、周波数（ＦAC−３ΔＦA1）〜（ＦAC−２ΔＦA1）の範囲に含まれている。また、ハイブリッド形式では、デジタル放送成分の上側第２成分ＤＳＵAが、周波数（ＦAC＋ΔＦA1）〜（ＦAC＋２ΔＦA1）の範囲に含まれ、デジタル放送成分の下側第２成分ＤＳＬAが、周波数（ＦAC−２ΔＦA1）〜（ＦAC−ΔＦA1）の範囲に含まれている。さらに、ハイブリッド形式では、デジタル放送成分の上側第３成分ＤＴＵAが、周波数ＦAC〜（ＦAC＋ΔＦAD））の範囲に含まれ、デジタル放送成分の下側第３成分ＤＴＬAが、周波数（ＦAC−ΔAD）〜ＦACの範囲に含まれている。
【０１０１】
また、図１０のオールデジタル形式では、デジタル放送成分の上側第１成分ＤＰＵAが、周波数ＦAC〜（ＦAC＋ΔＦA1）の範囲に含まれ、デジタル放送成分の下側第１成分ＤＰＬAが、周波数（ＦAC−ΔＦA1）〜ＦACの範囲に含まれている。また、オールデジタル形式では、デジタル放送成分の第２成分ＤＳＵAが、周波数（ＦAC＋ΔＦA1）〜（ＦAC＋２ΔＦA1）の範囲に含まれ、デジタル放送成分の第３成分ＤＴＬAが、（ＦAC−２ΔＦA1）〜（ＦAC−ΔＦA1）の範囲に含まれている。
【０１０２】
ＩＢＯＣ方式のＡＭ放送波を受信する放送受信装に本発明を適用する際には、図９，１０に示される所定周波数範囲（ＦAC−ΔＦAD）〜（ＦAC＋ΔＦAD）における中間周波信号の信号レベル値及びノイズレベル値を検出し、当該検出された信号レベル値及びノイズレベル値に基づいて、放送フォーマットを判別するようにすればよい。
【０１０３】
かかるＡＭ放送波の放送フォーマットの判別処理に際して、（Ｄ）レベル値が第３所定値以上であり、かつ、ノイズレベル値が第４所定値未満である場合には、放送フォーマットが「アナログ形式」又は「ハイブリッド形式」のいずれかであると判別する。また、（Ｅ）レベル値が第１所定値以上であり、かつ、ノイズレベル値が第２所定値以上である場合は、放送フォーマットが「オールデジタル形式」であると判別するようにすればよい。
【０１０４】
ここで、第２所定値及び第３所定値は、ＡＭ放送波の放送フォーマットを精度良く判別する観点から、実験、シミュレーション、経験等に基づいて、予め定められることになる。
【０１０５】
また、放送局の放送フォーマットを判別した放送局については、放送局識別子と放送フォーマットとを関連付けて記憶するようにしてもよい。この場合には、記憶している放送フォーマットに基づいて再生出力放送の選択処理を行うとともに、所定周波数範囲における中間周波信号の信号レベル値及びノイズレベル値に基づいて、過去に判別した放送フォーマットに変更等がないかを確認することができる。そして、放送フォーマットが、アナログ形式又はハイブリッド形式からオールデジタル形式に変更された場合には、デジタルラジオ放送の再生に切り替わるまでの間に、１度だけノイズ音を出力することになるが、次回の選局に際しては、判別した放送フォーマットに基づいて再生出力放送の選択処理を行うようにすることができる。
【０１０６】
また、上記の実施形態では、放送波を解析して放送フォーマットを判別するようにしたが、ネットワーク経由で、放送局の放送フォーマット情報を取得するようにしてもよい。この場合には、記憶した放送フォーマットに基づいて再生出力放送の選択処理を行うとともに、所定周波数範囲における中間周波信号の信号レベル値及びノイズレベル値に基づいて、取得した放送フォーマットの正当性を確認することができる。そして、アナログ形式又はハイブリッド形式であるとされた放送フォーマットがオールデジタル形式であった場合には、デジタルラジオ放送の再生に切り替わるまでの間に、１度だけノイズ音を出力することになるが、次回の選局に際しては、判別した放送フォーマットに基づいて再生出力放送の選択処理を行うようにすることができる。
【０１０７】
また、上記の実施形態では、ＩＢＯＣ方式の放送に本発明を適用したが、他の方式のデジタル放送を含むサイマル放送に本発明を適用することができる。
【０１０８】
また、上記の実施形態では、アナログ形式、ＩＢＯＣ方式のハイブリッド形式及びオールデジタル形式の放送に本発明を適用したが、他の方式のデジタル形式等の放送に本発明を適用することができる。
【０１０９】
また、上記の実施形態では、ラジオ放送に本発明を適用したが、例えば、テレビジョン放送に本発明を適用することができる。
【０１１０】
また、上記の実施形態においては、車両に搭載される放送受信装置に本発明を適用したが、車両以外の他の移動体に配置される放送受信装置にも本発明を適用することもできるし、スマートフォン等の携帯端末装置に配置される放送受信装置にも本発明を適用することができる。さらに、家庭内等の建物に配置される放送受信装置にも本発明を適用することができる。
【０１１１】
なお、上記の制御ユニットの一部又は全部を中央処理装置（ＣＰＵ：Central Processing Unit）等を備えた演算手段としてのコンピュータとして構成し、予め用意されたプログラムを当該コンピュータで実行することにより、上記の実施形態における制御ユニットの機能を実現するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【符号の説明】
【０１１２】
１００  …  放送受信装置  
１２０  …  ＲＦ処理ユニット（フロントエンド部）
１３１  …  検出部
１３５  …  アナログ放送処理部（アナログ再生処理部）
１３６  …  デジタル放送処理部（デジタル再生処理部）
１３７  …  選択部（出力部の一部）
１４０  …  アナログ処理ユニット（出力部の一部）
１９０  …  制御ユニット（制御部）
【図１】
2015186073.tif 000003
【図２】
2015186073.tif 000004
【図３】
2015186073.tif 000005
【図４】
2015186073.tif 000006
【図５】
2015186073.tif 000007
【図６】
2015186073.tif 000008
【図７】
2015186073.tif 000009
【図８】
2015186073.tif 000010
【図９】
2015186073.tif 000011
【図１０】
2015186073.tif 000012